(57)【要約】      （修正有）【課題】外装ケース内の空間を有効利用しつつ、アンテナの受信感度を優れたものとすることができる時計用ムーブメントおよび時計を提供する。【解決手段】時計用ムーブメント３と、時計用ムーブメント３の外周に取り付けられた中枠１４０と、時計用ムーブメント３および中枠１４０を収容する胴とを備えている。時計用ムーブメント３は、アンテナ２０および当該アンテナ２０が取り付けられた地板５とを備えるものであり、時計用ムーブメント３を平面視した際に、アンテナ２０は、地板５の輪郭からはみ出す領域を有するものである。また、時計用ムーブメント３を平面視した際に、アンテナ２０は、中枠１４０の輪郭からはみ出す領域を有するものであるのが好ましい。また、アンテナ２０と胴との最短離間距離が０．２ｍｍ以上であるのが好ましい。【選択図】図２
2016075639.tif 000002
【特許請求の範囲】
【請求項１】
アンテナと、当該アンテナが取り付けられた地板とを備えた時計用ムーブメントであって、
時計用ムーブメントを平面視した際に、前記アンテナは、前記地板の輪郭からはみ出す領域を有するものであることを特徴とする時計用ムーブメント。
【請求項２】
時計用ムーブメントを平面視した際に、前記アンテナのうち前記地板の輪郭からはみ出す領域の長さは、０．０１ｍｍ以上である請求項１に記載の時計用ムーブメント。
【請求項３】
請求項１または２に記載の時計用ムーブメントを備えたことを特徴とする時計。
【請求項４】
請求項１または２に記載の時計用ムーブメントと、
前記時計用ムーブメントの外周に取り付けられた中枠と、
前記時計用ムーブメントおよび前記中枠を収容する胴とを備えることを特徴とする時計。
【請求項５】
前記時計用ムーブメントを平面視した際に、前記アンテナは、前記中枠の輪郭からはみ出す領域を有するものである請求項４に記載の時計。
【請求項６】
前記アンテナと前記胴との最短離間距離が０．２ｍｍ以上である請求項４または５に記載の時計。
【発明の詳細な説明】
【技術分野】
【０００１】
本発明は、時計用ムーブメントおよび時計に関する。
【背景技術】
【０００２】
標準電波を受信して時刻情報を取得し、表示時刻を自動的に修正する電波時計が知られている（例えば、特許文献１参照）。
【０００３】
一方、女性用モデル等を中心に、小型の時計についてのニーズがある。
このような小型の時計では、内部に収納する部品の小型化や外装ケース内の空間の有効利用が特に強く求められるが、電波時計では、収納部品としてのアンテナを小型化すると、電波の受信感度が低下するという問題があった。
【０００４】
また、近年、審美性のさらなる向上や耐擦性の向上等を目的として、外装ケースにめっき層の形成や各種表面処理を施すことがあるが、このようなめっき層、表面処理により、アンテナによる電波の受信感度が低下しやすいという問題があった。
【先行技術文献】
【特許文献】
【０００５】
【特許文献１】特開２０１２−１６３５１６号公報
【発明の概要】
【発明が解決しようとする課題】
【０００６】
本発明の目的は、外装ケース内の空間を有効利用しつつ、アンテナの受信感度を優れたものとすることができる時計用ムーブメントおよび時計を提供することにある。
【課題を解決するための手段】
【０００７】
このような目的は、下記の本発明により達成される。
本発明の時計用ムーブメントは、アンテナと、当該アンテナが取り付けられた地板とを備えた時計用ムーブメントであって、
時計用ムーブメントを平面視した際に、前記アンテナは、前記地板の輪郭からはみ出す領域を有するものであることを特徴とする。
【０００８】
これにより、外装ケース内の空間を有効利用しつつ、アンテナの受信感度を優れたものとすることができる時計用ムーブメントおよび時計を提供することができる。
【０００９】
本発明の時計用ムーブメントでは、時計用ムーブメントを平面視した際に、前記アンテナのうち前記地板の輪郭からはみ出す領域の長さは、０．０１ｍｍ以上であることが好ましい。
これにより、電波の受信感度をより優れたものとすることができる。
【００１０】
本発明の時計は、本発明の時計用ムーブメントを備えたことを特徴とする。
これにより、外装ケース内の空間を有効利用しつつ、アンテナの受信感度を優れたものとすることができる時計を提供することができる。
【００１１】
本発明の時計は、本発明の時計用ムーブメントと、
前記時計用ムーブメントの外周に取り付けられた中枠と、
前記時計用ムーブメントおよび前記中枠を収容する胴とを備えることを特徴とする。
【００１２】
これにより、外装ケース内の空間を有効利用しつつ、アンテナの受信感度を優れたものとすることができる時計を提供することができる。
【００１３】
本発明の時計では、前記時計用ムーブメントを平面視した際に、前記アンテナは、前記中枠の輪郭からはみ出す領域を有するものであることが好ましい。
【００１４】
これにより、外装ケース内の空間をより有効に利用することができ、時計の不本意な大型化を防止しつつ、電波の受信感度をより確実に優れたものとすることができる。
【００１５】
本発明の時計では、前記アンテナと前記胴との最短離間距離が０．２ｍｍ以上であることが好ましい。
これにより、電波の受信感度をより優れたものとすることができる。
【図面の簡単な説明】
【００１６】
【図１】本発明の好適な実施形態の時計（電波時計）を模式的に示す正面図である。
【図２】図１に示した時計の要部を模式的に示す分解斜視図である。
【図３】図１に示した時計の要部を模式的に示す裏蓋側から見た底面図である。
【発明を実施するための形態】
【００１７】
以下、本発明を添付図面に示す好適な実施形態に基づいて詳細に説明する。
図１は、本発明の好適な実施形態の時計（電波時計）を模式的に示す正面図、図２は、図１に示した時計の要部を模式的に示す分解斜視図、図３は、図１に示した時計の要部を模式的に示す裏蓋側から見た底面図である。
【００１８】
［電波時計の構成］
図１は、本発明の好適な実施形態の時計（電波時計）を模式的に示す正面図である。
【００１９】
アンテナ内蔵式電子時計である時計１は、図１に示すように、時刻を表示する時刻表示部１０を備えた指針式腕時計（アナログ時計）である。この時刻表示部１０は、時針１１、分針１２、秒針１３、文字板１４を備える。そして、電波時計１は、時刻情報を含む無線電波としての長波標準電波を受信し、受信した時刻情報に基づいて時針１１、分針１２、秒針１３の指示位置を補正可能な時計である。
【００２０】
ここで、文字板１４としては、例えば合成樹脂やセラミック等の非導電性素材から形成されていることが好ましく、これにより、カバーガラス１２０側から進入する長波標準電波が阻害されず、後述するアンテナ２０にて良好に受信させることができる。
【００２１】
なお、アンテナ２０によって長波標準電波を受信する受信回路の構成は、従来の電波時計と同じであるため、説明を省略する。
【００２２】
［電波時計の構造］
次に、電波時計１の具体的構造について説明する。
【００２３】
電波時計１は、外装ケース１００を備えている。
外装ケース１００は、文字板１４、文字板受けリング１３０、ムーブメント３、中枠１４０等を収納し、これらを保護する機能を有するものである。
【００２４】
外装ケース１００は、リング状に形成されたケーシング（胴）１１０と、ケーシング１１０の表面側に装着されたカバーガラス１２０と、ケーシング１１０の裏面側に着脱可能に取り付けられた図示略の裏蓋とを備えている。
【００２５】
ケーシング１１０は、ステンレス鋼、真鍮、チタン等の金属材料で構成されている。
ケーシング１１０は、外形が平面略四角であり、内周面が平面略円形に形成されている。
【００２６】
図示略の裏蓋は、ケーシング１１０と同様な金属材料で構成され、ケーシング１１０の裏面開口に固定されている。なお、裏蓋は、例えば、ガラス材料で構成されたものであってもよい。
【００２７】
外装ケース１００内には、図２に示すようなムーブメント（モジュール）３が配置されている。ムーブメント３は、合成樹脂製の地板５を備えている。この地板５は、平面形状が略円形とされ、図３にも示すように、アンテナユニット２の他、モーター８１、８２、二次電池８３や図示略の回路基板や輪列等が取り付けられている。
【００２８】
また、地板５の上面には、図示略の日車や日回し車等のカレンダー表示機構が配置される。さらに、カレンダー表示機構の上面には、図示略の太陽電池が配置され、この太陽電池の上面に文字板１４が配置される。文字板１４は、文字板受けリング１３０で支持されている。このような構成は従来から周知であるため、説明を省略する。
【００２９】
なお、本実施形態では、モーター８１は、秒針１３および分針１２の駆動用であり、モーター８２は時針１１および日車の駆動用である。一般的な腕時計では、秒針用のモーターと、時分針用のモーターと、日車用のモーターとの３つのモーターを用いるが、本実施形態は、２つのモーター８１、８２のみで時分秒針（三針）および日車を駆動している。このため、ムーブメント３は、３つのモーターおよびアンテナユニットを備える従来のムーブメントに比べて、特に直径が小さなムーブメントとされている。
【００３０】
本実施形態のムーブメント３は、図２に示すように、文字板受けリング１３０および中枠１４０で上下から挟まれて保持され、文字板受けリング１３０や中枠１４０を介して外装ケース１００に取り付けられている。図２の構成により、文字板受けリング１３０の外形（輪郭）が胴１１０の内周に接触するため、ケーシング１１０に対してムーブメント３を平面方向に位置決めする機能を有している。また、中枠１４０の外形（輪郭）は文字板受けリング１３０の輪郭よりも小さいため、ケーシング１１０に対してムーブメント３を断面方向に位置決めする機能を有している。
【００３１】
［アンテナユニット］
アンテナユニット２は、図２、図３に示すように、アンテナ２０と、第１アンテナ枠４０と、第２アンテナ枠５０とを備えている。
【００３２】
アンテナ２０は、アンテナコア２１と、アンテナコア２１に巻かれたコイル２５とで構成され、必要に応じて、耐食性に優れるカチオン電着塗装等で絶縁が施される。
【００３３】
アンテナコア２１は、例えば、磁性材料膜としてのコバルト系のアモルファス金属膜（例；Ｃｏ５０質量％以上のアモルファスシート）を型で打ち抜くか、エッチングで成形したものを電波時計１の厚さ方向に１０〜３０枚程接着して重ね合わせ、焼鈍等の熱処理を行って磁気特性を安定化させたものである。
【００３４】
アンテナコア２１は、コイル２５で被覆された部位としてのコイル巻部と、コイル巻部の一端側に設けられた第１リード部２３と、コイル巻部の他端側に設けられた第２リード部２４とを備えている。
【００３５】
コイル巻部は、ストレート（直線状）に延長されてコイル２５が巻かれる棒状部分である。すなわち、コイル巻部は、幅寸法が一定のバー状に形成されている。
【００３６】
第１リード部２３は、コイル巻部の長手方向の一方の端部である第１の端部に連続して形成されている。
【００３７】
第２リード部２４は、コイル巻部の長手方向の他方の端部である第２の端部に連続して形成されている。
【００３８】
第１リード部２３は、第１の端部に連続する基端部２３Ａ側の幅寸法（第１リード部２３の突出方向に直交する寸法）が大きくされ、基端部２３Ａから中間部２３Ｂを介して先端部２３Ｃに向かうにしたがって幅寸法が小さくなる先細りの形状とされている。
【００３９】
第２リード部２４も、第１リード部２３と同様に、第２の端部に連続する基端部２４Ａ側の幅寸法（第２リード部２４の突出方向に直交する寸法）が大きくされ、基端部２４Ａから中間部２４Ｂを介して先端部２４Ｃに向かうにしたがって幅寸法が小さくなる先細りの形状とされている。
【００４０】
そして、図２に示すように、アンテナ２０は、ムーブメント３を平面視した際に、地板５の輪郭（外周）からはみ出す領域を有している。
【００４１】
従来の時計においては、地板の輪郭よりも外側の空間が、デッドスペースとなっており有効利用されていなかったが、このような構成とすることにより、ケーシング（胴）１１０内の空間（地板５の輪郭よりも外側でかつケーシング１１０の内周よりも内側の領域）を有効利用することができる。特に、アンテナ２０が地板５の輪郭（外周）からはみ出す領域を有するものとすることにより、ケーシング（胴）１１０や地板５の大きさに対するアンテナ２０の比率を大きいものとすることができ、電波の受信性能を高めることができる。また、従来においてデッドスペースとなっていた空間にアンテナ２０の一部を配しているので、アンテナ２０を大型化しても、アンテナ２０とケーシング１１０とが過度に接近することによる渦電流損失も防止することができる。その結果、時計１の不本意な大型化を防止しつつ、電波の受信感度を確実に優れたものとすることができる。
【００４２】
また、本実施形態では、ムーブメント３を平面視した際に地板５の輪郭（外周）からはみ出す領域が、アンテナコア２１の一部であり、特に、先端部２３Ｃ、２４Ｃである。
【００４３】
これにより、外装ケース１００内の空間をより有効に利用することができ、前述したような効果がより顕著に発揮される。
【００４４】
また、本実施形態において、アンテナ２０は、ムーブメント３を平面視した際に、後に詳述する中枠１４０の輪郭（外周）からもはみ出す領域を有している。この様に構成しても、中枠１４０の輪郭よりも大きい輪郭を有する文字板受けリング１３０が存在することから、胴１１０の内周にアンテナ２０が接触することを回避している。すなわち、アンテナ２０は胴１１０の内周から所定距離離れて胴１１０に収納されている。
【００４５】
これにより、外装ケース１００内の空間をより有効に利用することができ、前述したような効果がより顕著に発揮される。
【００４６】
ムーブメント３を平面視した際に、アンテナ２０のうち地板５の輪郭（外周）からはみ出す領域の長さ（突出長さ）は、０．０１ｍｍ以上であるのが好ましく、０．０２ｍｍ以上２．０ｍｍ以下であるのがより好ましい。ここで、前記突出長さとは、地板５の輪郭（外周）からアンテナ２０が突出する部分において、地板５の輪郭（外周）にオフセットした領域までの長さ（地板５の輪郭（外周）からの最短長さ）を意味する。例えば、突出長さ０．０１ｍｍとは、地板５が円形形状で構成される場合には、アンテナ２０が地板５の輪郭から突出する部分の半径に対して０．０１ｍｍをプラスした半径の領域までアンテナ２０が突出していることである。また、地板５が四角形状で構成され、かつアンテナ２０が地板５の１辺の輪郭から突出している構成の場合には、突出長さ０．０１ｍｍとは、前記一辺に垂直な方向に０．０１ｍｍをプラスした領域までアンテナ２０が突出していることである。
【００４７】
これにより、ケーシング（胴）１１０内の空間（地板５の輪郭よりも外側でかつケーシング１１０の内周よりも内側の領域）をより有効に利用しつつ、アンテナ２０とケーシング１１０とが過度に接近することによる渦電流損失も防止することができ、その結果、時計１の不本意な大型化を防止しつつ、電波の受信感度をより優れたものとすることができる。
【００４８】
なお、図示の構成では、第１リード部２３の突出長さと、第２リード部２４の突出長さが略同等であるが、これらの長さは異なるものであってもよい。例えば、角部側に向かって突出する第１リード部２３の突出長さのほうが、第２リード部２４の突出長さよりも長いものであってもよい。
【００４９】
これにより、ケーシング（胴）１１０内の空間（地板５の輪郭よりも外側でかつケーシング１１０の内周よりも内側の領域）をより有効に利用しつつ、アンテナ２０とケーシング１１０とが過度に接近することによる渦電流損失も防止することができ、その結果、時計１の不本意な大型化を防止しつつ、電波の受信感度をより優れたものとすることができる。
【００５０】
アンテナ２０とケーシング（胴）１１０との最短離間距離は、０．２ｍｍ以上であるのが好ましく、０．３ｍｍ以上１．５ｍｍ以下であるのがより好ましい。
【００５１】
これにより、ケーシング（胴）１１０内の空間（地板５の輪郭よりも外側でかつケーシング１１０の内周よりも内側の領域）をより有効に利用しつつ、アンテナ２０とケーシング１１０とが過度に接近することによる渦電流損失も防止することができ、その結果、時計１の不本意な大型化を防止しつつ、電波の受信感度をより優れたものとすることができる。
【００５２】
アンテナコア２１を構成する各磁性材料膜（例えば、アモルファス箔）は、厚さ寸法が０．０１ｍｍ以上０．０５ｍｍ以下であるのが好ましい。また、アンテナコア２１の積層方向の厚さ寸法は０．３ｍｍ以上１．５ｍｍ以下であるのが好ましい。アモルファス金属はフェライトに比べて磁気特性が良いため、より小型・薄型のアンテナを実現できる。
【００５３】
なお、アンテナコア２１としては、積層アモルファス膜に限定されず、軟磁性金属薄帯等でもよい。また、アンテナコア２１としては、性能は劣るが安価なフェライトを用いてもよく、この場合には、型等で成形し、熱処理して製造すればよい。
【００５４】
アンテナコア２１のコイル巻部に巻回されるコイル２５は、長波標準電波（４０〜７７．５ｋＨｚ）を受信する場合は、１５〜５０ｍＨ程度のインダクタンス値が必要となる。このため、本実施形態では、コイル２５として直径約５０μｍ程度のウレメット線を数百ターン程巻いて構成している。
【００５５】
なお、アンテナ２０における受信性能を向上させるために、第１リード部２３、第２リード部２４の表面に集磁板を貼り付けてもよい。
【００５６】
集磁板は、例えば、アモルファスシートからなる磁性膜（アモルファス膜）を数枚（例えば３枚）積層して構成できる。アモルファス膜としては、例えばコバルト系アモルファス金属（例えば、Ｃｏ−Ｆｅ−Ｎｉ−Ｂ−Ｓｉ）や鉄系アモルファス金属で構成されたもの等が挙げられる。
【００５７】
［第１アンテナ枠］
第１アンテナ枠４０は、合成樹脂製の部材であり、アンテナコア２１を保持する溝状の第１保持部４１、および、中枠１４０に位置決めされて保持される第１位置決め部４２、第２位置決め部４３を備えている。なお、第２位置決め部４３の上面には第１リード部２３の先端部２３Ｃが載置されている。
【００５８】
第１アンテナ枠４０には、地板５に形成されたピンが挿通される孔４５、地板５を通して図示略のネジが挿通される挿通孔４６も形成されている。
【００５９】
［第２アンテナ枠］
第２アンテナ枠５０は、第１アンテナ枠４０と同様に合成樹脂製の部材であり、アンテナコア２１を保持する溝状の第２保持部５１、および、中枠１４０に位置決めされて保持される第１位置決め部５２、第２位置決め部５３を備えている。なお、第２位置決め部５３の上面には第２リード部２４の先端部２４Ｃが載置されている。
【００６０】
第２アンテナ枠５０の第１位置決め部５２には、地板５に形成されたピンが挿通される孔５５が形成されている。
【００６１】
［中枠］
本実施形態の時計１は、上述したムーブメント３等に加え、ムーブメント３の外周に取り付けられた中枠１４０を備えている。
【００６２】
これにより、時計１において、外装ケース１００（ケーシング１１０）に対してムーブメント３を安定的に固定することができ、ムーブメント３の不本意な移動・変形等、特に、アンテナ２０の地板の輪郭からはみ出す領域（第１リード部２３、第２リード部２４）が不本意に変形し、外装ケース１００との離間距離が極端に短くなったり、外装ケース１００と接触したりすることをより確実に防止することができる。その結果、アンテナ２０による受信感度を安定的に優れたものとすることができる。
【００６３】
中枠１４０には、第１アンテナ枠４０の第１位置決め部４２、第２位置決め部４３が配置される第１凹部（凹部）１４１、第２凹部（凹部）１４２と、第２アンテナ枠５０の第１位置決め部５２、第２位置決め部５３が配置される第３凹部（凹部）１４３、第４凹部（凹部）１４４とが形成されている。
【００６４】
これらの各凹部１４１、１４２、１４３、１４４は、中枠１４０の上面（文字板受けリング１３０に対向する面）に開口されている。また、凹部１４１、１４３は、中枠１４０の径方向の内周側に開口し、中枠１４０の径方向の外周側に壁部を有するものとして設けられている。また、凹部１４２、１４４は、中枠１４０の径方向に貫通するものとして設けられている。
これにより、アンテナユニット２を安定的に固定することができる。
【００６５】
［ケーシング］
ケーシング（胴）１１０は、文字板１４、文字板受けリング１３０、ムーブメント３、中枠１４０等を収納し、これらを保護する機能を有するものである。
【００６６】
ケーシング１１０としては、前述したように、各種金属材料で構成されたものを用いることができるが、ＴｉまたはＴｉ合金で構成されたものであるのが好ましい。
【００６７】
Ｔｉ、Ｔｉ合金は、耐食性、比重等の点で、ステンレス鋼等のケーシング材料に比べて有利であるが、Ｔｉ、Ｔｉ合金は、一般に、ステンレス鋼等のケーシング材料として用いられている他の金属材料に比べて、抵抗率が低く、ケーシングとアンテナとが過度に接近して配置された場合における渦電流損失の問題が生じ易かったが、本発明の時計１では、Ｔｉ、Ｔｉ合金の特長を発揮させつつ、デッドスペースを有効利用し、かつ、アンテナ２０とケーシング１１０とが過度に接近することを防止することができ、上記のような問題の発生を確実に防止することができる。したがって、ケーシング１１０がＴｉまたはＴｉ合金で構成されたものである場合に、本発明による効果がより顕著に発揮される。
【００６８】
また、ケーシング１１０としては、ステンレス鋼で構成された基部に、ＩＰ膜（イオンプレーティング膜）やＡｕめっき膜等の比較的抵抗率の低い被膜が形成されたものを好適に用いることができる。
【００６９】
このようなケーシングは、審美性に優れる一方で、抵抗率が低く、ケーシングとアンテナとが過度に接近して配置された場合における渦電流損失の問題が生じ易かったが、本発明の時計１では、このような材料で構成されたケーシングの特長を発揮させつつ、デッドスペースを有効利用し、かつ、アンテナ２０とケーシング１１０とが過度に接近することを防止することができ、上記のような問題の発生を確実に防止することができる。したがって、ケーシング１１０が、ステンレス鋼で構成された基部にＩＰ膜（イオンプレーティング膜）またはＡｕめっき膜が設けられたものである場合に、本発明による効果がより顕著に発揮される。
【００７０】
また、図１に示すように、本実施形態では、ケーシング１１０は、平面視形状が略四角形状のものである。
【００７１】
ケーシングがこのような形状のものであると、従来においては、デッドスペースがより大きくなっていたが、本発明では、ケーシング１１０がこのような形状のものである場合に、ケーシング１１０内の空間をより有効に利用することができる。また、このように、ケーシング１１０内の空間をより有効に利用した場合においても、アンテナ２０とケーシング（胴）１１０と離間距離を十分に長いものとすることができるため、前述したような渦電流損失の問題の発生をより効果的に防止することができる。
【００７２】
前述したようなアンテナ２０は、図１に示すように、外装ケース１００の中心に対して６時から１０時位置にわたって配置されている。
一方、外装ケース１００の３時側には巻真および竜頭７を備えている。
【００７３】
このような本実施形態によれば、次の効果が得られる。
すなわち、本実施形態によれば、アンテナ２０が地板５の輪郭からはみ出す領域を有するものであることにより、アンテナコア２１の長さ寸法を長くできて受信感度を向上でき、かつ、渦電流損失の影響を抑制でき、従来に比べて受信性能を向上できる。また、従来ではデッドスペースとなっていた空間にアンテナな一部を配することができ、ケーシング１１０内の空間の有効利用を図ることができる。
【００７４】
また、例えば、ケーシング１１０内の空間を有効に利用することができるため、時計の小型化を図りつつ、電波の受信感度を確実に優れたものとすることができる。
【００７５】
以上、本発明の好適な実施形態について説明したが、本発明は上記のようなものに限定されるものではない。
【００７６】
例えば、本発明の時計用ムーブメント、時計では、各部の構成は、同様の機能を発揮する任意の構成のものに置換することができ、また、任意の構成を付加することもできる。
【００７７】
また、本実施形態では、ケーシング１１０は、平面視形状が略四角形状である場合について代表的に説明したが、例えば、ケーシングの平面視形状は、円形、楕円形、トノー形状（樽型形状）等、いかなる形状であってもよい。
【００７８】
特に、トノー形状を有するケーシングを備えた時計は、高い審美性（美的外観）を有するものである一方で、従来においては、デッドスペースがより大きくなっていたが、本発明では、ケーシングがこのような形状のものである場合に、ケーシング内の空間をより有効に利用することができる。また、このように、ケーシング内の空間をより有効に利用した場合においても、アンテナとケーシング（胴）と離間距離を十分に長いものとすることができるため、前述したような渦電流損失の問題の発生をより効果的に防止することができる。
【００７９】
また、前記実施形態では、アンテナ枠を第１アンテナ枠４０および第２アンテナ枠５０の２つの部材で構成していたが、各アンテナ枠４０、５０部分を連結する連結部を備えて一体化されたアンテナ枠を用いてもよい。さらに、アンテナ枠４０、５０を設けずに、アンテナコア２１およびコイル２５からなるアンテナ２０を直接地板５に取り付けてもよい。
【００８０】
また、前記実施形態では、中枠１４０に第２凹部１４２、第４凹部１４４を形成して、リード部２３、２４の先端部を配置していたが、このような凹部を備えない中枠を用いてもよい。
【００８１】
さらに、本発明は、中枠を用いずに、ムーブメントを直接外装ケース内に配置する場合にも利用できる。
【符号の説明】
【００８２】
１…時計（電波時計）
１０…時刻表示部
１１…時針
１２…分針
１３…秒針
１４…文字板
２…アンテナユニット
３…ムーブメント（モジュール）
５…地板
２０…アンテナ
２１…アンテナコア
２３…第１リード部
２４…第２リード部
２３Ａ、２４Ａ…基端部
２３Ｂ、２４Ｂ…中間部
２３Ｃ、２４Ｃ…先端部
２５…コイル
４０…第１アンテナ枠
４１…第１保持部
４２…第１位置決め部
４３…第２位置決め部
４５…孔
４６…挿通孔
５０…第２アンテナ枠
５１…第２保持部
５２…第１位置決め部
５３…第２位置決め部
５５…孔
７…巻真および竜頭
８１…モーター
８２…モーター
８３…二次電池
１００…外装ケース
１１０…ケーシング（胴）
１２０…カバーガラス
１３０…文字板受けリング
１４０…中枠
１４１…第１凹部（凹部）
１４２…第２凹部（凹部）
１４３…第３凹部（凹部）
１４４…第４凹部（凹部）
【図１】
2016075639.tif 000003
【図２】
2016075639.tif 000004
【図３】
2016075639.tif 000005